(57)【特許請求の範囲】
【請求項１】
折り線を介して折り畳まれる基シートと、基シート上に重ねて配置された複写シートとを備える情報隠蔽シートであって、
前記基シートが複写シート対向面に顕色剤層を備える中用紙であり、前記複写シートが基シート対向面に発色剤層を備える中用紙または上用紙であり、
前記基シートの複写シート対向面に隠蔽情報記入部が形成され、前記複写シートの基シート非対向面に控え書き記入部が形成され、前記隠蔽情報記入部と前記控え書き記入部とが重なり合う位置にあり、かつ、
前記基シートの前記隠蔽情報記入部よりも周縁側に粘着部が形成され、前記複写シートの少なくとも粘着部に対面する部位が離型処理部とされ、
前記粘着部と離型処理部とによって前記控え書き記入部を有する複写シートと基シートとが剥離あるいは分離可能に接着され、
前記基シートの複写シート非対向面側に中用紙または下用紙からなる他の複写シートが配置され、この他の複写シートの基シートの前記隠蔽情報記入部と重なる位置に他の控え書き記入部が設けられているとともに、この他の複写シートが他の控え書き記入部以外の部分で基シートに対して剥離あるいは分離可能に接着されている、
ことを特徴とする情報隠蔽シート。
【請求項２】
前記基シートの折り線により分けられる二領域の一方領域に隠蔽情報記入部と粘着部とが設けられ、前記複写シートがその一方領域のみを被覆するように配されている、請求項１に記載の情報隠蔽シート。
【請求項３】
前記基シートの折り線により分けられる二領域の一方領域に隠蔽情報記入部と粘着部とが設けられ、他方領域の少なくとも前記折り線で折り畳んだときに前記一方領域と重なる部分に、前記一方領域に対して再剥離可能に接着する再剥離接着部が設けられている、請求項１記載の情報隠蔽シート。
【請求項４】
折り線を介して折り畳まれる基シートと、基シート上に重ねて配置された複写シートとを備える情報隠蔽シートであって、
前記基シートが複写シート対向面に顕色剤層を備える中用紙または下用紙であり、前記複写シートが基シート対向面に発色剤層を備える中用紙または上用紙であり、
前記基シートの複写シート対向面に隠蔽情報記入部が形成され、前記複写シートの基シート非対向面に控え書き記入部が形成され、前記隠蔽情報記入部と前記控え書き記入部とが重なり合う位置にあり、かつ、
前記基シートの前記隠蔽情報記入部よりも周縁側に粘着部が形成され、前記複写シートの少なくとも粘着部に対面する部位が離型処理部とされ、
前記粘着部と離型処理部とによって前記控え書き記入部を有する複写シートと基シートとが剥離あるいは分離可能に接着され、
かつ、前記基シートの折り線により分けられる二領域の一方領域に隠蔽情報記入部と粘着部とが設けられ、他方領域の少なくとも前記折り線で折り畳んだときに前記一方領域と重なる部分に、前記一方領域に対して再剥離可能に接着する再剥離接着部が設けられている、ことを特徴とする情報隠蔽シート。
【請求項５】
複写シートが中用紙であり、この複写シートの基シート非対向面側に上用紙または中用紙からなる別の複写シートが配置されており、両複写シート同士が前記控え書き記入部以外の部分において剥離あるいは分離可能に接着されており、かつ、前記別の複写シートの隠蔽情報記入部と重なり合う位置にも別の控え書き記入部が設けられている、請求項４記載の情報隠蔽シート。
【請求項６】
複写シートを基シートから剥離した後、前記基シートを前記折り線で折り畳んだ状態としたときに、前記粘着部によって接着されている部分を他の部分から分離するための、易切り離し線が基シートに形成されている請求項１〜５の何れか１項に記載の情報隠蔽シート。
【発明の詳細な説明】
【技術分野】
【０００１】
本発明は、シート面に記入した情報を隠蔽できる情報隠蔽シートに関する。
【背景技術】
【０００２】  情報隠蔽シートは、一方面に隠蔽情報を記入した後に、記入面を内面として折り畳んだ状態を維持して情報隠蔽状態にすることができ、さらに必要に応じて折り畳み状態を解除して情報を読み取ることができるように構成されたものであり、例えば、個人情報や口座番号を記入して各種届出機関へ郵送する際の情報隠蔽葉書としてよく利用されている。  このような情報隠蔽葉書においては、いったん折り畳み状態とすると記入者自らも記入情報の確認ができなくなるため、記入内容の控えをとりたいという要望があり、下記文献１〜２のように記入した情報の控え書が得られるように構成された情報隠蔽シートが発案されるに至っている（下記、特許文献１〜２）。【特許文献１】特開平７−１４４４９１
【特許文献２】特開２００５−２５４５８５
【発明の開示】
【発明が解決しようとする課題】
【０００３】
しかし、上記特許文献１のものは、控え書となる用紙と隠蔽情報を記入すべき用紙とが別体であり、控え書を得るにあたって、控え書となる用紙と隠蔽情報を記入すべき用紙とを重ね合わせて配置する煩雑な操作を要する。
特許文献２のものも、隠蔽情報を記入する際に控え書を基紙から一度剥離して隠蔽情報記入部に重ねて配置する煩雑な操作を要する。
そこで、本発明の主たる課題は、製造が容易で、しかも煩雑な操作なく簡易に隠蔽情報の控え書を得ることができる情報隠蔽シートを提供することにある。
【課題を解決するための手段】
【０００４】
上記課題を解決した本発明およびその作用効果は次記のとおりである。
＜請求項１記載の発明＞
折り線を介して折り畳まれる基シートと、基シート上に重ねて配置された複写シートとを備える情報隠蔽シートであって、
前記基シートが複写シート対向面に顕色剤層を備える中用紙であり、前記複写シートが基シート対向面に発色剤層を備える中用紙または上用紙であり、
前記基シートの複写シート対向面に隠蔽情報記入部が形成され、前記複写シートの基シート非対向面に控え書き記入部が形成され、前記隠蔽情報記入部と前記控え書き記入部とが重なり合う位置にあり、かつ、
前記基シートの前記隠蔽情報記入部よりも周縁側に粘着部が形成され、前記複写シートの少なくとも粘着部に対面する部位が離型処理部とされ、
前記粘着部と離型処理部とによって前記控え書き記入部を有する複写シートと基シートとが剥離あるいは分離可能に接着され、
前記基シートの複写シート非対向面側に中用紙または下用紙からなる他の複写シートが配置され、この他の複写シートの基シートの前記隠蔽情報記入部と重なる位置に他の控え書き記入部が設けられているとともに、この他の複写シートが他の控え書き記入部以外の部分で基シートに対して剥離あるいは分離可能に接着されている、
ことを特徴とする情報隠蔽シート。
【０００５】
（作用効果）
本発明の情報隠蔽シートは、基シートを上用紙あるいは中用紙とし、複写シートを中用紙あるいは下用紙とし、さらに、粘着部と離型処理部とによって前記複写シートと前記基シートとが剥離可能な状態で予め一体化されている。そして、この一体化状態で、基シートの隠蔽情報記入部と複写シートの控え書き記入部とが重なり合う位置関係となるようにした。従って、複写シートを必要箇所に重ねて配置する煩雑な作業なく、前記控え書き記入部への加圧を伴う情報記入により、その記入情報が基シートの隠蔽情報記入部に転写されて、控え書が作成される。
また、本発明の情報隠蔽シートでは、複写シートが粘着部の保護機能をも有し、情報記入後に複写シートを基シートから剥離すると控え書の取得作業とともに、基シートの粘着部露出作業が同時に行われる。そして、粘着部露出状態で基シートを折り畳めば、当該粘着部によって分けられた領域同士が接着され、記入情報が隠蔽される。
控え書を同時に二枚得ることができ、二枚の控え書を得る必要がある場合に好適となる。
【０００６】
＜請求項２記載の発明＞
前記基シートの折り線により分けられる二領域の一方領域に隠蔽情報記入部と粘着部とが設けられ、前記複写シートがその一方領域のみを被覆するように配されている、請求項１に記載の情報隠蔽シート。
【０００７】
（作用効果）
複写シートが一部領域にしか配されていないのでコスト安となる。
【０００８】
＜請求項３記載の発明＞
前記基シートの折り線により分けられる二領域の一方領域に隠蔽情報記入部と粘着部とが設けられ、他方領域の少なくとも前記折り線で折り畳んだときに前記一方領域と重なる部分に、前記一方領域に対して再剥離可能に接着する再剥離接着部が設けられている、請求項１記載の情報隠蔽シート。
【０００９】
（作用効果）
二領域のうちの隠蔽情報記入部が配されていない一方領域に再剥離可能な再剥離接着部を設けたことにより、折り重なり合う部分を剥離可能に密着させることができる。従って、隠蔽性がいっそう向上するほか、例えば、折り畳み状態において筒状の封筒状態ではなく葉書状態とすることができ、郵便法上のはがきとして郵送時のコストメリットを受けることができる。
【００１０】
＜請求項４記載の発明＞
折り線を介して折り畳まれる基シートと、基シート上に重ねて配置された複写シートとを備える情報隠蔽シートであって、
前記基シートが複写シート対向面に顕色剤層を備える中用紙または下用紙であり、前記複写シートが基シート対向面に発色剤層を備える中用紙または上用紙であり、
前記基シートの複写シート対向面に隠蔽情報記入部が形成され、前記複写シートの基シート非対向面に控え書き記入部が形成され、前記隠蔽情報記入部と前記控え書き記入部とが重なり合う位置にあり、かつ、
前記基シートの前記隠蔽情報記入部よりも周縁側に粘着部が形成され、前記複写シートの少なくとも粘着部に対面する部位が離型処理部とされ、
前記粘着部と離型処理部とによって前記控え書き記入部を有する複写シートと基シートとが剥離あるいは分離可能に接着され、
かつ、前記基シートの折り線により分けられる二領域の一方領域に隠蔽情報記入部と粘着部とが設けられ、他方領域の少なくとも前記折り線で折り畳んだときに前記一方領域と重なる部分に、前記一方領域に対して再剥離可能に接着する再剥離接着部が設けられている、ことを特徴とする情報隠蔽シート。
【００１１】
（作用効果）
本発明の情報隠蔽シートは、基シートを上用紙あるいは中用紙とし、複写シートを中用紙あるいは下用紙とし、さらに、粘着部と離型処理部とによって前記複写シートと前記基シートとが剥離可能な状態で予め一体化されている。そして、この一体化状態で、基シートの隠蔽情報記入部と複写シートの控え書き記入部とが重なり合う位置関係となるようにした。従って、複写シートを必要箇所に重ねて配置する煩雑な作業なく、前記控え書き記入部への加圧を伴う情報記入により、その記入情報が基シートの隠蔽情報記入部に転写されて、控え書が作成される。
また、本発明の情報隠蔽シートでは、複写シートが粘着部の保護機能をも有し、情報記入後に複写シートを基シートから剥離すると控え書の取得作業とともに、基シートの粘着部露出作業が同時に行われる。そして、粘着部露出状態で基シートを折り畳めば、当該粘着部によって分けられた領域同士が接着され、記入情報が隠蔽される。
また、二領域のうちの隠蔽情報記入部が配されていない一方領域に再剥離可能な再剥離接着部を設けたことにより、折り重なり合う部分を剥離可能に密着させることができる。従って、隠蔽性がいっそう向上するほか、例えば、折り畳み状態において筒状の封筒状態ではなく葉書状態とすることができ、郵便法上のはがきとして郵送時のコストメリットを受けることができる。
【００１２】
＜請求項５記載の発明＞
複写シートが中用紙であり、この複写シートの基シート非対向面側に上用紙または中用紙からなる別の複写シートが配置されており、両複写シート同士が前記控え書き記入部以外の部分において剥離あるいは分離可能に接着されており、かつ、前記別の複写シートの隠蔽情報記入部と重なり合う位置にも別の控え書き記入部が設けられている、請求項４記載の情報隠蔽シート。
【００１３】
（作用効果）
控え書を同時に二枚得ることができ、二枚の控え書を得る必要がある場合に好適となる。
【００１４】
＜請求項６記載の発明＞
複写シートを基シートから剥離した後、前記基シートを前記折り線で折り畳んだ状態としたときに、前記粘着部によって接着されている部分を他の部分から分離するための、易切り離し線が基シートに形成されている請求項１〜５の何れか１項に記載の情報隠蔽シート。
【００１５】
（作用効果）
開封が容易となり、隠蔽情報記入部に記入された情報を読み取りやすくなる。
【発明の効果】
【００１６】
以上のとおり本発明によれば、製造が容易で、しかも煩雑な操作なく簡易に隠蔽情報と同一記載内容の控え書を得ることができる情報隠蔽シートが提供される。
【発明を実施するための最良の形態】
【００１７】
次いで、本発明の実施形態を図面を参照しながら以下に詳述する。
＜第１の実施形態＞
図１に本形態の情報隠蔽シートＸ１の平面図を示す。図２にそのＩＩ−ＩＩ矢視図を示す。本形態の情報隠蔽シートＸ１は、折り線Ｌ１を介して折り畳まれる基シート１と、基シート１上に重ねて配置された複写シート２とを備える。図１においては、基シート１から複写シート２を一部剥離した状態を示している。
【００１８】
前記折り線Ｌ１は、印刷によって描かれた線、ミシン目線、折り筋線、線状に低坪量部を配した低坪量線等であり、折り畳みの際の目印となるものであれば特に態様は限定されない。好適には、折りを容易にするミシン目線、折り筋線、低坪量線である。
【００１９】
本形態の基シート１は、葉書サイズの用紙が折り線Ｌ１を介して横並びに２枚分連接された大きさであり、折り線Ｌ１により各領域を重ね合わせるように折り畳むと、１枚の葉書サイズとなる。
【００２０】
一方、複写シート２は、基シート１と同様の大きさとされており、前記基シート１と縁をあわせてぴったりと重ねて配置されている。
【００２１】  前記基シート１は、感圧複写用紙における中用紙または下用紙で形成されており複写シート２対向面に顕色剤層１１を備える。顕色剤層１１は、原シートＰ１上への顕色剤の塗布等により得られる。ここで、顕色剤層が設けられる原シートＰ１の素材については特に限定されない。古紙を原料とする再生紙あるいはバージンパルプ原料とする非再生紙のいずれであってもよい。また、合成紙であってもよい。【００２２】
基シート１の坪量は、特に限定されない。隠蔽情報が反対面から透けて視認されない程度の不透明度を担保できる程度あればよい。後の郵送や取り扱いの利便性、後述する複写機能を考慮すれば、５０〜８０ｇ／ｍ2程度とするのが望ましい。
【００２３】  複写シート２は、感圧複写用紙における上用紙または中用紙で形成されており、基シート１対向面に発色剤層を備える。ここで、発色剤層が設けられる原シートＰ２の素材については特に限定されない。基シート１の原シートと同様に古紙を原料とする再生紙あるいはバージンパルプ原料とする非再生紙のいずれであってもよい。また、合成紙であってもよい。【００２４】
複写シート２の坪量も、特に限定されない。ただし、基シート１への複写を確実にすべく低筆圧でも簡易に記入情報が転写されるようにすること考慮して、基シート１より低坪量とするのが望ましい。特に好適には３０〜６０ｇ／ｍ2程度である。
【００２５】
前記基シート１および複写シート２に用いられる顕色剤、発色剤は、既知の感圧複写用紙に用いられている既知の組み合わせのなかから適宜選択して用いることができる。各原シートへの発色剤、顕色剤の塗布方法は既知の方法による。顕色剤層、発色剤層における発色剤、顕色剤はマイクロカプセルに封入された状態であってもよい。
【００２６】
他方、情報隠蔽シートＸ１は、図１に示すように、複写シート２の基シート１非対向面に控え書き記入部３１が形成されており、そして、特に図３から明らかになるとおり、基シート１の複写シート２対向面には隠蔽情報記入部３０が形成されている。これらの隠蔽情報記入部３０と前記控え書き記入部３１とは重なり合う位置関係にあり、複写シート２の控え書記入部３１に鉛筆、ボールペン等の筆記具により情報を記入すると、下層の基シート１の隠蔽情報記入部３０に感圧複写機能により転写される。
【００２７】
ここで、控え書き記入部３１、隠蔽情報記入部３０は、記入者あるいは読み取り者に記入内容と記入箇所が認識できるように、便宜的に設けた枠欄、題字であり、オフセット印刷等の印刷機によって予め各シートに印刷して設けられる。
【００２８】
図示の形態では、控え書き記入部３１、隠蔽情報記入部３０が折り線を介して分けられる二領域Ａ，Ｂのうちの一方領域Ｂにオフセットされて形成されているが、本形態では特にこのようにオフセットされている必要はない。
【００２９】
他方、特に図３から明らかになるとおり、前記基シート１の前記隠蔽情報記入部３０よりもシート周縁側に粘着部２０，２０…が形成されている。本形態では、基シート１の全周縁わたって点線状に粘着部２０，２０…が配されているが、必ずしも点線状である必要はなく周縁部全体に実線状に配されていてもよい。点線状である場合の間隔も特に限定されないが、点線状として点線間隔を適宜変更することにより、複写シート１に対する接着力あるいは後述する折り線を介する領域Ａ、Ｂ同士の接着力を調整することができる。ここで、周縁部とは、シートサイズにもよってその範囲は異なるが、葉書サイズ〜Ｂ５サイズまでのシートであれば、用紙辺縁から２ｍｍ〜１５ｍｍ程度までの範囲は周縁部である。
【００３０】
粘着部２０は粘着剤の塗布により設けることができる。粘着剤としては、比較的粘着力の強い非再剥離性のものが好適に利用できる。粘着剤の塗工は従来公知の方法、例えばロールパターン転写法、グラビアコート法等を用いることができる。粘着剤の塗布量は、用いる粘着剤の種類により適宜変更するが、好適には、乾燥重量で２〜４０ｇ／ｍ2である。
【００３１】
粘着剤の具体例としては、例えば、天然ゴム系、アクリル系、シリコン系、ポリウレタン系、ポリエステル系の粘着剤が挙げられる。また、有機溶剤系、エマルション系であってもよい。アクリル系粘着剤としては、主成分として、例えばアクリル酸エステル単独重合体、アクリル酸エステル単位２種以上を含む共重合体及びアクリル酸エステルと他の官能性単量体との共重合体の中から選ばれた少なくとも１種を含有するものが用いられる。該アクリル酸エステルとしては、例えば（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸ノニルエステル、（メタ）アクリル酸デシルエステル等が挙げられる。また、官能性単量体としては、例えば（メタ）アクリル酸ヒドロキシエチルエステル、（メタ）アクリル酸ヒドロキシプロピルエステル等のヒドロキシル基含有単量体、（メタ）アクリルアミド、ジメチル（メタ）アクリルアミド等のアミド基含有単量体、（メタ）アクリル酸等のカルボン酸基含有単量体等が挙げられる。また、このアクリル系粘着剤としては、それが付着した紙類のリサイクル処理における離解工程や再生工程において、不都合をもたらさないようにするために、アルカリ可溶性、水溶性又は水再分散性を有するものを用いることもできる。前記ゴム系粘着剤としては、主成分として、例えば天然ゴム、ポリイソプレンゴム、ポリイソブチレン、ポリブタジエンゴム、スチレン−ブタジエン−スチレンブロック共重合体、スチレン−イソプレン−スチレンブロック共重合体等の中から選ばれた少なくとも１種を含有するものが用いられる。
【００３２】
これらの粘着剤には、所望に応じて粘着付与剤、架橋剤、充填剤等が配合される。粘着付与剤としては、例えばロジン系樹脂、ポリテルペン系樹脂等の天然樹脂、Ｃ５系、Ｃ９系、ＤＣＰＤ系石油樹脂、クマロンインデン樹脂、キシレン樹脂等の合成樹脂等が挙げられる。架橋剤としては、ポリイソシアネート化合物、エポキシ樹脂、メラミン樹脂、尿素樹脂、金属キレート化合物、金属塩等が挙げられる。充填剤としては、亜鉛華、酸化チタン、シリカ、炭酸カルシウム等が挙げられる。
【００３３】
他方、図１、２に示されるとおり、複写シート２の粘着部２０に対面する部位に離型処理部２１が設けられている。なお、離型処理部２１は記入情報の転写を阻害しない範囲であれば粘着部２０に対面する部位以外の範囲にも設けられていてもよい。
【００３４】
離型処理部２１は、基シート１との貼合に先だって複写シート２の適宜部位に離型剤を０．１〜２．５ｇ／ｍ2程度塗布して形成することができる。離型剤としては、シリコン、長鎖アルキルポリマー、ポリオレフィン、アルキド樹脂、フッ素化合物等の既知の離型剤を用いることができる。離型剤の塗布方法は、エアナイフコーター、ブレードコーター、ロッドメタリングコーター、カーテンコーター、ロールコーター等の従来各種塗工機による塗工によって塗布することもできる。特に、模様印刷あるいはベタ印刷によって離型剤の塗布量や塗布分布を適宜調整することが容易なオフセット印刷、グラビア印刷、凸版印刷、凹版印刷等各種印刷による印刷塗工が好適である。
【００３５】
上記説明の粘着部２０と離型処理部２１との接着力の調整によって前記複写シート２と基シート１とが剥離可能に接着される。ここで、粘着部２０と離型処理部２１との剥離強度（粘着力）は、ＪＩＳ  Ｚ  ０２３７の１０にある１８０度引きはがし粘着力の測定で３〜２５Ｎ／５０ｍｍとなるようにするのが好適である。
【００３６】
＜第１の実施形態の使用例＞
次いで、第１の実施形態にかかる情報隠蔽シートＸ１の使用例を説明する。まず、図１、２に示されるように、基シート１と複写シート２とが粘着部２０および離型処理部２１との接着によって一体化されている状態で、複写シート２の控え書き記入部３１にボールペン書きや鉛筆書き等圧力を伴って情報を記入する態様で必要情報を記入する。このとき、複写シート２の基シート１対向面に存在する発色剤層の発色剤と、基シート１の複写シート２対向面の顕色剤層の顕色剤とが前記圧力が加わった部位において反応し、基シート１において記入内容と同様の情報が発色発現して複写がなされる。ここで、上述のとおり控え書き記入部３１と隠蔽情報記入部３０とが重なる位置にあるので控え書き記入部３１に記入した情報はそのまま隠蔽情報記入部３０に記入される。
【００３７】
控え書き記入部３１に必要情報の記入が終了したならば、次いで、図３に示すとおり、複写シート２を基シート１から剥離して基シート１の粘着部２０を露出させる。このとき、複写シート２は離型処理部２１を介して基シート１の粘着部２０と接着されているので、容易に剥離されて基シート１と別体にすることができる。そして、この時点で先の発色剤および顕色剤による複写機能によって、剥離して別体とした複写シート２と基シート１とには同様の情報が記載されているので、当該複写シート２が控え書として機能するようになる。この後、控え書は必要に応じて記入者等が保管すればよい。
【００３８】
基シート１の粘着部が２０露出されたならば、基シートの１折り線Ｌ１を介して分けられる二つの領域Ａ，Ｂを、当該折り線Ｌ１で前記隠蔽情報記入部３０が内面となるようにして折り畳む。このように折り畳むと、図４およびそのＶ−Ｖ矢視図である図５に示されるとおり、折り重なり合う領域Ａ，Ｂ同士が粘着部２０を介して接着され、隠蔽情報記入部３０に記入した内容が隠蔽状態となる。本形態では、図３に示されるとおり、粘着部２０は基シートの全周縁部に渡って配されているので三方閉じ合わせの密封袋体となる。従って、本形態においては折り畳む際に内部に形成される空間に例えば書類等を封入することも可能である。
【００３９】  隠蔽情報記入部３０に記入された情報を隠蔽した後には、必要に応じて郵送先を外面に記入する等して郵送等によって所望の機関や受取人に送付する。本形態では、図４に示されるとおり基シート１の隠蔽情報記入部３０が設けられている面の反対面に郵送先情報が予め印刷されており、粘着部２０による領域Ａ，Ｂの接着により郵送用封筒が形成されるように構成されている。【００４０】
上記郵送先情報に従って郵送された情報隠蔽状態の情報隠蔽シート（郵送用封筒）を、受け取った受取機関あるいは受取人等の隠蔽情報を見るべき者は、接着されている部位を引き剥がし、図６に示されるように見開きの状態として情報を確認する。なお、このとき粘着部に用いられていた粘着剤が非再剥離性であることから、離型処理されていない紙面から引き剥がされるときに紙表面が剥離されて剥離痕２３が形成される。この剥離痕２３の有無により第３者によって開封作業がなされたか否かの確認をすることができる。
【００４１】
以上のとおり、本形態の情報隠蔽シートＸ１は、情報を隠蔽した状態で所望の相手方に受け渡すことができるとともに、極めて簡易に差し出した内容の控え書を得ることができる。
【００４２】
＜第２の実施形態＞
次いで、第２の実施の形態Ｘ２を説明する。本形態Ｘ２は、基シート１に再剥離可能な再剥離接着部２２を設けた例である。複写シート３の構成については、第１の実施の形態とほぼ同様であるが、再剥離接着部２２が設けられている部分に対面する部分は離型処理されているのが望ましい。
【００４３】
第２の形態Ｘ２にかかる基シート１は、図７およびそのＶＩＩＩ−ＶＩＩＩ矢視図である図８に複写シート２を剥離した状態を示すように、折り線Ｌ１を介した一方領域Ｂに隠蔽情報記入部３０が設けられ、この隠蔽情報記入部３０が設けられている領域Ｂと反対の他方領域Ａに再剥離性接着部２２が設けられている。
【００４４】
再剥離接着部は、特開２００３−２７０２６、特開２００４−２１７８３８に開示される剥離性粘着剤、アクリル酸アルキルエステルを含有したアクリル共重合水性エマルジョン等の剥離性接着剤を塗布して形成することができる。
【００４５】
また、エマルジョン系強粘着剤、ゴム系粘着剤、溶剤系粘着剤等の非再剥離性粘着剤を塗布したのち、網点印刷等の方法により糊殺し剤あるいは離型剤を塗布して当該範囲の接着力を接着対象物（本形態では被覆紙）に対して再剥離可能な程度にまで抑制する方法により設けることもできる。
【００４６】
一方、基シート１には第１の実施の形態Ｘ１と同様に全周縁部に点線状に粘着部２０が配されている。図８には、再剥離接着部２２上に粘着部２０が形成されているが、例えば、隠蔽情報記入部３０を有しない領域Ｂの全面に前記粘着部２０を設けるための粘着剤を塗布し、その後に再剥離接着部２２とする部位にのみ糊殺し剤等を印刷して接着力を抑制するようにして、粘着部２０と再剥離接着部２２とが粘着剤層を共有する形態をとってもよい。
【００４７】
各種接着剤の塗布は、エアナイフコーター、ブレードコーター、ロッドメタリングコーター、カーテンコーター、ロールコーター等の従来各種塗工機による塗工によって塗布することができる。また、糊殺し剤等の塗布はロール転写やグラビア印刷等による印刷塗布により好適に行うことがきる。また、接着力を抑制する離型剤としては、シリコン、長鎖アルキルポリマー、ポリオレフィン、アルキド樹脂、フッ素化合物等の離型剤を用いることができる。
【００４８】
さらに、本形態Ｘ２では、粘着部２０と他の部分とを分離可能とするミシン目線（易切り離し線）Ｌ２が設けられている。このミシン目線Ｌ２は、折り線Ｌ１を挟んで左右対称に設けられており、もって折り線Ｌ１によって分けられる両領域ＡＢを重ね合わせたときに両領域内のミシン目線がＬ２が重なり合い、前記基シート１を折り線Ｌ１で折り返して畳んだ状態としたときに、前記粘着部２０によって接着されている部分を他の部分から分離することが可能とされている。
【００４９】
このミシン目線Ｌ２は、ミシン目加工線、低坪量線、折り目線等、粘着部と他の部分との切り離しを補助する線であり、既知の加工法により設けることができる。
【００５０】
本形態Ｘ２では、折り線Ｌ１で折り返して畳んだ状態としたときに、再剥離接着部２２が隠蔽情報記入部面に対して剥離可能に接着するため情報隠蔽状態においては見かけ状一枚の葉書様をなし、郵便法上の葉書として扱うことが可能となる。そして、隠蔽された情報をみるにあたっては、上記ミシン目線Ｌ２を裂開して粘着部２０によって貼合されて部分を切り離し、その後に、再剥離接着剤部２２で貼り合わされている面同士を引き剥がして情報の読み取りを行う。
【００５１】
＜第３の実施形態＞
次いで、第３の実施の形態を説明する。第３の実施の形態Ｘ３は、図１０、１１に示すように、複写シート２が基シート１の一部を被覆している形態である。
【００５２】
本形態Ｘ３では複写シート２は基シート１の折り線Ｌ１を介して分けられる一方領域Ｂのみを被覆するように配している。
【００５３】
粘着部２０は基シート１の複写シート２で被覆される領域Ｂ側の周縁部にのみ設けられており、他方領域Ａには設けられていない。このように粘着部２０が一方領域Ｂのみであっても、折り畳み状態としたときには、粘着部２０を介して両領域Ａ，Ｂは接着されるので問題なく隠蔽情報記入部３０に記入した情報は隠蔽状態とされる。
【００５４】
基シート１が複写シート２対向面に顕色剤層１１を備える中用紙または下用紙であり、前記複写シートが基シート対向面に発色剤層１２を備える中用紙または上用紙である点は、第１および第２の実施の形態Ｘ１，Ｘ２と同様である。
【００５５】
また、複写シート２の基シート１非対向面に控え書き記入部３１が配されており、基シート１の複写シート２対向面の前記控え書き記入部３１と重なる位置に隠蔽情報記入部３０が配されている点も、第１および第２の実施の形態Ｘ１，Ｘ２と同様である。
【００５６】
用いる粘着剤種類や複写シートの離型処理部等、その他の構成も第１、第２の実施Ｘ１，Ｘ２の形態と同様である。
【００５７】
＜第４の実施の形態＞
第４の実施の形態は、複数の複写シートを設けた形態である。第４の実施の形態は平面視においては、第３の実施の形態と同様である。
【００５８】
本形態の第１例Ｘ４の積層構造を図１２に示す。この例Ｘ４は、基シート１に直接対面する複写シート（第１複写シートともいう）２を中用紙とし、さらにその上に中用紙あるいは上用紙からなる別の複写シート（第２複写シートともいう）２Ａが重ねて配置されている。第１複写シート２と基シート１の関係は、上述の形態と同様である。
【００５９】
第２複写シート２Ａは第１複写シート２と対面する側に発色剤層１２を有し、さらに、第１複写シート２と同様に控え書き記入部（第２控え書き記入部ともいう）が隠蔽情報記入部と重なる位置に配されている。
【００６０】
第１複写シート２の控え書き記入部から外れた位置には粘着力の弱い弱粘着部が配されており、第２複写シート２Ａの前記弱粘着部に重なる位置が離型処理されている。これにより、第１複写シート２と第２複写シート２Ａとが、上述の基シート１と第１複写シートと２の接着態様と同様に、剥離可能な状態で一体化されている。
【００６１】
従って、第２複写シート２Ａの第２控え書き記入部にボールペン等の筆記具により圧力をもって情報を記入すると、第１複写シート２の控え書き記入部と基シート１の隠蔽情報記入部に同時に情報が記入される。
【００６２】
情報が記入された後に、第１および第２の複写シート２，２Ａを基シート１から剥離して控え書とするとともに、基シート１を折り線Ｌ１を介して折り畳み隠蔽情報記入部に記入した情報を隠蔽する。
【００６３】  なお、弱粘着部は、粘着剤の塗布態様を網点塗布する等して接着力を低下させるようにしたり、強粘着剤に対して接着力を抑制する微粒子充填剤を添加する等した粘着剤を用いて形成したりすればよい。【００６４】
次いで、第４形態の第２例Ｘ５の積層構造を図１３に示す。この第２例Ｘ５は、基シート１が中用紙であり、さらにその上に中用紙あるいは上用紙からなる複写シート（第１複写シート）２が配され、さらに基シート１の前記第１複写シート２が配されている面の反対面側にも中用紙あるいは下用紙からなる別の複写シート（第３複写シートともいう）２Ｂが重ねて配置されている例である。第１複写シート１と基シート２の関係は、上述の形態と同様である。
【００６５】
第３複写シート２Ｂは基シート１と対面する側に顕色剤層１１を有し、さらに、第１複写シート２と同様に控え書き記入部（第３控え書き記入部ともいう）が基シート１と対面する面の隠蔽情報記入部と重なる位置に配されている。
【００６６】
また、第３複写シート２Ｂの第３控え書き記入部から外れた位置には粘着力の弱い弱粘着部が配されており、基シートの前記弱粘着部に重なる位置が離型処理されている。これにより、基シート１と第３複写シート２Ｂとが、上述の基シート１と第１複写シート２との接着態様と同様に、剥離可能な状態で一体化されている。なお弱粘着部については第１例と同様である。
【００６７】
従って、第１複写シート２の控え書き記入部にボールペン等の筆記具により圧力をもって情報を記入すると、基シート１の隠蔽情報記入部と第３複写シート２Ｂの第３控え書き記入部とに同時に情報が記入される。
【００６８】
情報が記入された後には、第１および第３の複写シート２，２Ｂを基シート１から剥離して控え書とするとともに、基シート１を折り線を介して折り畳み隠蔽情報記入部に記入した情報を隠蔽する。
【産業上の利用可能性】
【００６９】
本発明は、親展情報やクレジットカード番号等不特定人には知られたくない情報を記入して特定機関や会社に郵送するための隠蔽式葉書、支給金額を記載して給与受取人に渡す給料明細書等に利用可能である。
【図面の簡単な説明】
【００７０】
【図１】本発明にかかる情報隠蔽はがきの第１の形態の平面図である。
【図２】そのＩＩ−ＩＩ矢視図である。
【図３】複写シートを剥離した態様を示す平面図である。
【図４】折り線で折り畳み、情報を隠蔽した状態の平面図である。
【図５】そのＶ−Ｖ矢視図である。
【図６】情報を読み取るべく再剥離した状態の平面図である。
【図７】第２の形態にかかる再剥離接着層を有する基シートの平面図である。
【図８】そのＶＩＩＩ−ＶＩＩＩ矢視図である。
【図９】第２形態のシートを折り線で折り畳み、情報を隠蔽した状態の平面図である。
【図１０】基シートの一部が複写シートで被覆されている第３の形態の平面図である。
【図１１】そのＸＩ−ＸＩ矢視図である。
【図１２】二枚の複写シートを有する形態の第１の例の正面図である。
【図１３】二枚の複写シートを有する形態の第２の例の正面図である。
【符号の説明】
【００７１】
１…基シート、２…複写シート、２Ａ…第２複写シート、２Ｂ…第３複写シート、１１…顕色剤層、１２…発色剤層、２０…粘着部、２１…離型処理部、２２…再剥離接着部、２３…剥離痕、３０…隠蔽情報記入部、３１…控え書き記入部、Ａ…領域Ａ、Ｂ…領域Ｂ、Ｌ１…折り線、Ｌ２…易切り離し線、Ｙ…郵送先情報、Ｐ１，Ｐ２…原シート、Ｘ１〜Ｘ５…情報隠蔽シート。
【図１】
0004758266.tif 000002
【図２】
0004758266.tif 000003
【図３】
0004758266.tif 000004
【図４】
0004758266.tif 000005
【図５】
0004758266.tif 000006
【図６】
0004758266.tif 000007
【図７】
0004758266.tif 000008
【図８】
0004758266.tif 000009
【図９】
0004758266.tif 000010
【図１０】
0004758266.tif 000011
【図１１】
0004758266.tif 000012
【図１２】
0004758266.tif 000013
【図１３】
0004758266.tif 000014